(57)【要約】【課題】  撮影直後にプリント注文をしない場合に、後日、多くの画像データの中から、その画像を探し出すのが簡単でなく、また、その画像データ自体を忘れてしまうという問題があった。【解決手段】  本発明は、画像データを取得する画像取得手段１１と、取得した画像データの内から、写真プリントを作成する画像データを設定する設定部１３ａと、設定された画像データと設定されていない画像データを識別可能に格納する格納部１２と、写真プリントを注文する際に、設定された画像データを通信可能な通信手段１４とを有する携帯端末１０であって、画像データを取得し、取得した画像データの写真プリントを作成するか否かを設定した後に、次の画像データを取得可能に制御する制御部１３ｂをさらに有する携帯端末である。【選択図】図１
2006332876.tif 000002
【特許請求の範囲】
【請求項１】
画像データを取得する画像取得手段と、前記取得した画像データの内から、写真プリントを作成する画像データを設定する設定部と、前記設定された画像データと設定されていない画像データを識別可能に格納する格納部と、写真プリントを注文する際に、前記設定された画像データを通信可能な通信手段とを有する携帯端末であって、
画像データを取得し、前記取得した画像データの写真プリントを作成するか否かを設定した後に、次の画像データを取得可能に制御する制御部をさらに有する携帯端末。
【請求項２】
前記制御部は、
写真プリントを注文する場合に、前記設定部で設定された写真プリントを作成する画像データ及び／または当該画像データを識別する識別情報を識別可能に表示し、
識別可能に表示された画像データを含む注文情報を前記通信手段で送信した後に、当該送信した画像データ及び／または当該画像データを識別する識別情報を注文済みの表示に切り替え、
注文済みの画像データと未注文の画像データを識別可能に前記格納部に格納する請求項１に記載の携帯端末。
【請求項３】
前記制御部は、
前記設定された写真プリントを作成する画像データをフォルダで表示し、前記注文情報を送信後、注文済みのフォルダ表示に切り換える請求項２に記載の携帯端末。
【請求項４】
前記制御部は、
未注文の写真プリントを注文する場合に、前記未注文の画像データ及び／または当該画像データを識別する識別情報を、注文済みの画像データ及び／または当該画像データを識別する識別情報と識別可能に表示し、
未注文の画像データを含む注文情報を前記通信手段で送信した後、当該送信した画像データを注文済みの表示に切り替え、
前記送信した画像データを注文済みの画像データとして前記格納部に格納する請求項１から請求項３のいずれかに記載の携帯端末。
【請求項５】
前記制御部は、
前記未注文の画像データをフォルダで表示し、前記注文情報を送信後、注文済みのフォルダ表示に切り換える請求項４に記載の携帯端末。
【請求項６】
コンピュータに、
画像データを取得し、前記取得した画像データの写真プリントを作成するか否かを設定した後に、次の画像データを取得可能に制御する制御ステップと、
写真プリントを注文する場合に、前記制御ステップで設定された写真プリントを作成する画像データ及び／または当該画像データを識別する識別情報を識別可能に表示するステップと、
識別可能に表示された画像データを含む注文情報を送信した後に、当該送信した画像データ及び／または当該画像データを識別する識別情報を注文済みの表示に切り替えるステップと、
注文済みの画像データと未注文の画像データを識別可能に記録媒体に格納するステップを実行させるためのプログラム。
【請求項７】
コンピュータに、
未注文の写真プリントを注文する場合に、前記未注文の画像データ及び／または当該画像データを識別する識別情報を、注文済みの画像データ及び／または当該画像データを識別する識別情報と識別可能に表示するステップと、
未注文の画像データを含む注文情報を前記通信手段で送信した後、当該送信した画像データを注文済みの表示に切り替えるステップと、
前記送信した画像データを注文済みの画像データとして記録媒体に格納するステップを実行させるためのプログラム。
【発明の詳細な説明】
【技術分野】
【０００１】
本発明は、写真プリントを作成するための写真プリント注文システムにアクセスして、写真プリント注文可能とする携帯端末に関するものである。
【背景技術】
【０００２】
従来技術において、カメラ付携帯電話で撮影した写真を直接、写真プリント注文するシステムがある（非特許文献１参照）。このシステムの概略は以下である。（１）カメラで画像を撮影し、予め保存しておく。（２）次に、カメラ付携帯電話からサーバにアクセスする。（３）写真プリント作成する店舗を選択し、注文者の氏名、電話番号等を登録する。（４）画像データを貼付したメールを作成し、サーバに送信する。（５）サイズと枚数を選択し、注文内容及びプリント料金等を確認後、注文する。（６）サーバからカメラ付携帯電話に注文を受け付けた内容のメールが送信される。（７）後日、注文者は店舗で仕上がりプリントを受け取る。
【０００３】
また、画面上の画像を見るだけで、プリント指示の有無、複数枚のプリント指示、及び印刷済みの有無を容易に把握することができるデジタルカメラ及び画像表示方法がある（特許文献１参照）。
【０００４】
【非特許文献１】ノーリツ鋼機株式会社、［ｏｎｌｉｎｅ］、平成１７年４月２３日、［平成１７年４月２３日検索］、インターネット＜URL:http://www.dpegg.com/eggsite/pager＞
【特許文献１】特開２００１−４５３３９号公報
【発明の開示】
【発明が解決しようとする課題】
【０００５】
しかしながら、非特許文献１における写真プリント注文システムにおいては、撮影直後にプリント注文をせず、後日、撮影した画像データをあらためて見ながらプリントするかしないかを判断するのが通常であり、このような場合に、撮影時に、撮影した画像データをプリント注文したいと思っていても、後日、多くの画像データの中から、その画像データを探し出すのが簡単でなく、また、その画像データ自体を忘れてしまうこともあった。
【０００６】
一方、撮影した直後に、プリント注文することも可能であるが、連続して撮影を行いたい場合も多く、このような場合に、プリント注文すれば、所望の撮影チャンスを逸することになる。
【０００７】
また、プリント注文する際に、画像データの一覧を表示させて、画像データを選択するが、上記のシステムにおいては、表示された画像データからプリント注文済みか未注文かの判断ができないものであり、画像データの選択の効率が悪いものであった。
【０００８】
また、特許文献１のデジタルカメラは、画像データを撮影後、その画像データをメモリーカードに記録するか否かの決定をし、その後、プリント指定するか否かを決定するものであるため、操作が複雑であった。
【課題を解決するための手段】
【０００９】
上記の課題を解決するために、本発明は、画像データを取得する画像取得手段と、取得した画像データの内から、写真プリントを作成する画像データを設定する設定部と、設定された画像データと設定されていない画像データを識別可能に格納する格納部と、写真プリントを注文する際に、設定された画像データを通信可能な通信手段とを有する携帯端末であって、画像データを取得し、取得した画像データの写真プリントを作成するか否かを設定した後に、次の画像データを取得可能に制御する制御部をさらに有する携帯端末である。
【００１０】
この構成によれば、撮影直後に、プリント注文する画像データの候補を設定できる。よって、プリント注文処理の際に、画像データの一覧から、プリント注文する画像データを選択する手間がなくなり、プリント注文処理操作を簡単に、かつ従来と比較して短時間で行える。また、プリント注文するために撮影を中止することなく、連続撮影が可能になる。
【００１１】
また、上記の携帯端末であって、制御部は、写真プリントを注文する場合に、設定部で設定された写真プリントを作成する画像データ及び／または当該画像データを識別する識別情報を識別可能に表示し、識別可能に表示された画像データを含む注文情報を通信手段で送信した後に、当該送信した画像データ及び／または当該画像データを識別する識別情報を注文済みの表示に切り替え、注文済みの画像データと未注文の画像データを識別可能に格納部に格納することを特徴とする。
【００１２】
この構成によれば、プリント注文するように設定された画像データを、その他の画像データと識別可能に表示できるので、プリント注文する画像データを簡単に確認できる。また、注文のために画像データを送信した後、送信した画像データの表示が注文済みの表示に切り換わるので、注文済みの画像データを簡単に確認できる。また、注文後、格納部に、注文済みの画像データとして格納されるので、注文済みか未注文かの確認が簡単にできる。例えば、焼き増し注文する場合に、注文済みの画像データのみを表示させて簡単に確認することができる。
【００１３】
また、上記の携帯端末であって、制御部は、設定された写真プリントを作成する画像データをフォルダで表示し、注文情報を送信後、注文済みのフォルダ表示に切り換えることを特徴とする。
【００１４】
この構成によれば、設定された画像データをフォルダ単位に表示させるので、例えば、ファイル名等で表示させるより、直感的な視覚性をもって確認できる。
【００１５】
また、上記の携帯端末であって、制御部は、未注文の写真プリントを注文する場合に、未注文の画像データ及び／または当該画像データを識別する識別情報を、注文済みの画像データ及び／または当該画像データを識別する識別情報と識別可能に表示し、未注文の画像データを含む注文情報を通信手段で送信した後、当該送信した画像データを注文済みの表示に切り替え、送信した画像データを注文済みの画像データとして格納部に格納することを特徴とする。
【００１６】
この構成によれば、未注文の画像データをまとめて注文することができる。また、注文後、注文済みの表示に切り換えることができる。また、格納部に注文済みの画像データとして格納することができる。
【００１７】
また、上記の携帯端末であって、制御部は、未注文の画像データをフォルダで表示し、注文情報を送信後、注文済みのフォルダ表示に切り換えることを特徴とする。
【００１８】
この構成によれば、未注文の画像データをフォルダ単位に表示させるので、例えば、ファイル名等で表示させるより、直感的な視覚性をもって確認できる。
【００１９】
また、他の本発明は、コンピュータに、画像データを取得し、取得した画像データの写真プリントを作成するか否かを設定した後に、次の画像データを取得可能に制御する制御ステップと、写真プリントを注文する場合に、制御ステップで設定された写真プリントを作成する画像データ及び／または当該画像データを識別する識別情報を識別可能に表示するステップと、識別可能に表示された画像データを含む注文情報を送信した後に、当該送信した画像データ及び／または当該画像データを識別する識別情報を注文済みの表示に切り替えるステップと、注文済みの画像データと未注文の画像データを識別可能に記録媒体に格納するステップを実行させるためのプログラムである。
【００２０】
また、他の本発明は、コンピュータに、未注文の写真プリントを注文する場合に、未注文の画像データ及び／または当該画像データを識別する識別情報を、注文済みの画像データ及び／または当該画像データを識別する識別情報と識別可能に表示するステップと、未注文の画像データを含む注文情報を通信手段で送信した後、当該送信した画像データを注文済みの表示に切り替えるステップと、送信した画像データを注文済みの画像データとして記録媒体に格納するステップを実行させるためのプログラムである。
【００２１】
上記のプログラム作用効果は、上記で説明した作用効果と同様である。
【００２２】
本発明において「携帯端末」とは、画像データを撮影及び／または取得でき、通信機能を有する装置であって、携帯可能な装置であり、例えば、カメラ付携帯電話が例示される。また、例えばＣＣＤ型撮像素子またはＣＭＯＳ型撮像素子等のイメージセンサと接続可能に構成される携帯電話、ＰＨＳ（登録商標）また、通信機能を備えたデジタルカメラ等が例示される。さらに、イメージセンサを備えかつ携帯電話と接続可能なＰＤＡ（Ｐｅｒｓｏｎａｌ  Ｄｉｇｉｔａｌ  Ａｓｓｉｓｔａｎｔ）及びハンドヘルドコンピュータも例示される。
【００２３】
また、注文情報は、写真プリント注文システムで使用可能な写真プリント注文のための情報であり、例えば、携帯端末固有の識別情報（例えば、携帯電話であれば電話番号、固有の製造記号等）、注文者のＩＤ（例えば氏名、住所等）、または携帯端末のメールアドレス、画像データ、画像データの識別情報等の内いずれか複数の情報から構成される。
【００２４】
また、識別情報は、画像データを識別する情報であり、特に制限されないが、例えば、画像データのファイル名、画像データのＩＤ等が例示される。
【発明を実施するための最良の形態】
【００２５】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００２６】
（実施の形態１）
＜写真プリント注文システムの構成＞
本実施の形態における写真プリント注文システムの全体構成を図１に概念的に示す。携帯端末１０と基地局４０が通信可能に構成され、基地局４０とサーバ２０及び店舗３０はネットワークを介して接続されている。店舗３０は、写真処理装置３１、この写真処理装置３１と直接接続される情報処理装置３２及び写真処理装置３１とＬＡＮ接続される外部端末３３、３４で構成されている。サーバ２０は、写真処理装置３１、情報処理装置３２、外部端末３３、３４のいずれとも通信可能に構成されている。またサーバ２０は、写真プリント注文システムに必要なデータを管理し、そのためのＤＢ２１（データベース）を有する。
【００２７】
＜携帯端末の構成＞
図２は、携帯端末１０の構成を示すブロック図である。携帯端末１０は、例えば、画像取得手段１１、本体格納部１２、注文アプリケーション１３、第１の通信手段１４、表示部１５、入力部１６、メディア１７、ＣＰＵ１８、メモリ１９等を有する。なお、携帯端末１０が携帯電話の場合に、例えば、通話機能も有する。
【００２８】
画像取得手段１１は、画像データを取得するものであり、例えばＣＣＤ型撮像素子またはＣＭＯＳ型撮像素子等のイメージセンサ及びその制御回路等で構成される。
【００２９】
本体格納部１２は、画像取得手段１１が取得した画像データを格納する。本体格納部１２は、不揮発性の記録媒体が好適であるが揮発性の記録媒体でもよく、例えばフラッシュＥＥＰＲＯＭ等で構成される。また、本体格納部１２は、画像データ及びその画像データの識別情報とを対応づけて格納できる。また、本体格納部１２は、外部装置（不図示）から送信された画像データを格納できる。本体格納部１２及びメディア１７は、本発明の格納部に相当する。
【００３０】
注文アプリケーション１３は、写真プリント注文をするためのアプリケーションであり、設定部１３ａ、制御部１３ｂ、アプリケーション制御部１３ｃから構成されている。注文アプリケーション１３は、ソフトウェアであり、かかるソフトウェアは、携帯端末１０のＣＰＵ１８やメモリ１９等のハードウエア資源を用いて動作する。当該ソフトウェアはＲＯＭ等の記録媒体に記録されているが、サーバ２０等の外部装置（不図示）からダウンロードすることも可能である。なお、当該注文アプリケーション１３は、ファームウエアや専用回路で構成することもできる。
【００３１】
アプリケーション制御部１３ｃは、アプリケーションの全体の動作を制御するモジュールであり、例えば、画面表示制御、入力指示受付制御、第１の通信手段１４の制御、画像取得手段１１の制御、本体格納部１２及びメディア１７へのデータの格納や読み出し等の制御をする。
【００３２】
設定部１３ａは、画像取得手段１１が取得した画像データの内から、写真プリントを作成する画像データを設定する。設定部１３ａの具体的な機能については後述する。
【００３３】
制御部１３ｂは、画像データを取得し、取得した画像データの写真プリントを作成するか否かを設定した後に、次の画像データを取得可能に制御する。
【００３４】
また、制御部１３ｂは、写真プリントを注文する場合に、設定部１３ａで設定された写真プリントを作成する画像データ及び／または当該画像データを識別する識別情報を識別可能に表示し、識別可能に表示された画像データを含む注文情報を第１の通信手段１４で送信した後に、当該送信した画像データ及び／または当該画像データを識別する識別情報を注文済みの表示に切り替え、注文済みの画像データと未注文の画像データを識別可能に本体格納部１２及び／またはメディア１７に格納することができる。
【００３５】
また、制御部１３ｂは、設定された写真プリントを作成する画像データをフォルダで表示し、注文情報を送信後、注文済みのフォルダ表示に切り換えることができる。
【００３６】
また、制御部１３ｂは、未注文の写真プリントを注文する場合に、未注文の画像データ及び／または当該画像データを識別する識別情報を、注文済みの画像データ及び／または当該画像データを識別する識別情報と識別可能に表示し、未注文の画像データを含む注文情報を第１の通信手段１４で送信した後、当該送信した画像データを注文済みの表示に切り替え、送信した画像データを注文済みの画像データとして本体格納部１２及び／またはメディア１７に格納することができる。
【００３７】
また、制御部１３ｂは、未注文の画像データをフォルダで表示し、注文情報を送信後、注文済みのフォルダ表示に切り換えることができる。
【００３８】
第１の通信手段１４は、画像データや識別情報等のデータを送受信する。例えば、携帯端末１０が携帯電話である場合、通話機能を有する無線インターフェース等で実現できる。
【００３９】
また、携帯端末１０が携帯電話の場合に、基地局４０との通信方式は、特に限定されないが、例えば、ＰＤＣ、ＧＭＳ、ＣＤＭＡの各方式が採用できる。特に、高速デジタルデータ通信方式としては、Ｗ−ＣＤＭＡ、ｃｄｍａ２０００  １×ＥＶ−ＤＯ等が採用可能である。かかる場合に第１の通信手段１４は、各々の通信方式に対応する通信インターフェースで実現可能である。また、データは、パケット単位に分割されて通信される。
【００４０】
表示部１５は、アプリケーションの画面を表示することができる。表示部１５は、通常、液晶ディスプレイで構成されるが、有機ＥＬディスプレイやタッチパネル等で構成してもよい。
【００４１】
入力部１６は、各種入力指示を受け付けるための入力インターフェースであり、ボタン、音声認識手段、タッチパネル等で構成できる。
【００４２】
メディア１７は、携帯端末１０と接続可能な記録媒体であり、例えば、携帯端末１０が携帯電話の場合、ｍｉｎｉＳＤカード等が例示される。
【００４３】
＜サーバの構成＞
図３は、サーバ２０の構成を示すブロック図である。サーバ２０は、例えば、ＤＢ２１（格納部に相当する）、サーバアプリケーション２２、第２の通信手段２３、ＣＰＵ２４、メモリ２５等を有する構成である。
【００４４】
ＤＢ２１は、注文情報、画像データ、顧客情報、店舗情報等を格納している。ＤＢ２１は、大容量データを格納可能な記憶媒体であり、例えば、大容量ハードディスク、光磁気ディスク等で構成できる。顧客情報は、写真プリント注文システムを利用する顧客に関する情報であり、例えば、氏名、携帯電話番号、携帯電話のメールアドレス、顧客ＩＤ、注文実績等を有する。また店舗情報は、写真プリント注文システムで写真プリントを作成できる店舗に関する情報であり、例えば、店舗ＩＤ、写真処理装置ＩＤ、ＩＰアドレス等を有する。
【００４５】
サーバアプリケーション２２は、写真プリント注文システムのサーバ側のアプリケーションであり、注文受付制御部２２ａ、注文管理部２２ｂを有して構成されている。サーバアプリケーション２２は、ソフトウェアであり、かかるソフトウェアは、サーバ２０のＣＰＵ２４やメモリ２５等のハードウエア資源を用いて動作する。当該ソフトウェアはＲＯＭ等の記録媒体に記録されている。
【００４６】
注文受付制御部２２ａは、携帯端末１０から注文情報を受信し、注文を受け付けたことを示す受付信号を返信するように制御する。また、注文受付制御部２２ａは、注文情報を顧客情報または店舗情報と対応づけて、ＤＢ２１に格納するように制御可能である。
【００４７】
注文管理部２２ｂは、アプリケーションの全体の動作を制御するモジュールであり、例えば、第２の通信手段２３の制御、ＤＢ２１へのデータの格納や読み出し等の制御、写真処理装置３１への注文処理等をする。
【００４８】
第２の通信手段２３は、画像データ、注文情報等のデータを基地局４０、写真処理装置３１、情報処理装置３２、及び外部端末３３、３４等と通信可能に構成される。第２の通信手段２３は、無線通信装置でもよく、有線通信装置でもよい。
【００４９】
＜写真処理装置等の構成＞
写真処理装置３１は、主に、フィルムスキャン装置、画像処理部、写真プリント作成手段、通信手段等を有して構成される。写真処置装置３１は従来技術であるので、簡単に説明する。フィルムスキャン装置でネガフィルムから画像データを読み取り、適宜補正データを設定し、画像処理部が補正データに基づいて画像データを画像処理して露光用画像データを作成し、写真プリント作成手段が露光用画像データに基づいて露光処理し、現像処理を経て写真プリントを作成する。写真処理装置３１は、通信手段の機能により、インターネットを介してサーバ２０と接続され、サーバ２０から写真プリントの注文を受け付け可能である。
【００５０】
情報処理装置３２は、インターネットを介してサーバ２０と接続され、サーバ２０から写真プリントの注文を受け付け可能である。情報処理装置３２は、通常、写真処理装置３１と直接接続され、各種メディア読み取り装置を有して、この読み取り装置から画像データを取得し、適宜補正処理を施して写真処理装置３１に送信できるように構成されている。
【００５１】
外部端末３３、３４は、インターネットを介してサーバ２０と接続され、サーバ２０から写真プリントの注文を受け付け可能である。外部端末３３、３４は、通常、写真処理装置３１とＬＡＮで接続され、各種メディア読み取り装置を有して、この読み取り装置から画像データを取得し、適宜補正処理を施して写真処理装置３１に送信できるように構成されている。
【００５２】
＜システム全体のフローチャート＞
以下、写真プリント注文システムの全体の動作について図４のフローチャートを用いて説明する。
【００５３】
携帯端末１０は、画像データを取得する（＃１）。次に、携帯端末１０は画像データを含む注文情報を送信する（＃２）。サーバ２０は送信された注文情報に応じて、受付信号を携帯端末１０に送信する（＃３）。
【００５４】
サーバ２０は、注文情報を写真処理装置３１に送信する（＃４）。写真処理装置３１は、注文を受け付けたことを示す受領情報をサーバ２０に送信する（＃５）。
【００５５】
写真処理装置３１は、注文情報に基づいて、写真プリントを作成する（＃６）。そして、携帯端末１０の注文者が写真プリントを引き取る（＃７）。
【００５６】
＜携帯端末のフローチャート＞
次に、図５を用いて、画像データの取得処理の動作について説明する。
【００５７】
（ステップＳ２０）携帯端末の入力部１６を用いたボタン操作でアプリケーションを起動する。
【００５８】
（ステップＳ２１）アプリケーション制御部１３ｃが起動し、起動画面（モード選択画面）を表示部１５に表示する。
【００５９】
（ステップＳ２２）画像取得（「撮影」）を選択する。
【００６０】
（ステップＳ２３）アプリケーション制御部１３ｃは、画像取得手段１１を起動させる。撮影対象を決め、ボタン操作で画像を撮影する。撮影された画像データが表示部１５に表示される。
【００６１】
（ステップＳ２４）ステップＳ２３で撮影した画像データの写真プリントを注文する場合ステップＳ２５に行き、そうでない場合ステップＳ２８に行く。
【００６２】
（ステップＳ２５）写真プリント注文を選択する。
【００６３】
（ステップＳ２６）画像データは、ステップＳ２５で選択された写真プリント注文の情報と関連づけて本体格納部１２に格納される。
【００６４】
（ステップＳ２７）次の画像データを撮影する場合は、ステップＳ２３に戻り、画像データの撮影を繰り返す。そうでない場合、注文処理に移行でき、また、アプリケーションを終了することも可能である。
【００６５】
（ステップＳ２８）表示された画像データを保存する場合、保存を選択する。保存を選択すると画像データがファイル名と共に本体格納部１２に格納される。その後ステップＳ２７に行く。保存を選択しない場合、ステップＳ２９に行く。
【００６６】
（ステップＳ２９）表示された画像データの削除を選択する。画像データが削除され、ステップＳ２７に行く。
【００６７】
以上の動作において、画像データ、ファイル名及びプリント注文設定に関する情報を本体格納部１２に格納するように構成したが、特にこれに限定されず、メディア１７に格納可能に構成できる。例えば、保存する場合に、保存先として、本体格納部１２かメディア１７のいずれかを選択できるように構成できる。
【００６８】
以上のように、画像データを取得した後、写真プリントするか否かの設定を可能にすることで、注文処理において、画像データを確認しながら、注文する画像データを選択する処理を省くことができ、写真プリント注文操作を簡単に行うことができる。
【００６９】
次に、図６を用いて、注文処理の動作を説明する。注文アプリケーションが既に起動され、モード選択画面の表示動作以降について説明する。
【００７０】
（ステップＳ３０）モード選択画面上で、「注文」を選択する。
【００７１】
（ステップＳ３１）プリント注文設定画面に切り換わる。画面上で、プリント注文するように設定された画像データ及び／またはその識別情報（ステップＳ２５で選択された画像データ）は、そうでない画像データ及び／またはその識別情報と識別可能に表示される。
【００７２】
（ステップＳ３２）プリント注文する画像データを一括して注文する場合、「一括注文」を選択する。
【００７３】
（ステップＳ３３）ステップＳ３２で選択されたプリント注文する画像データを含む注文情報が構成され、この注文情報がサーバ２０に送信される。送信完了すると、サーバ２０から受付信号を受信する。なお、注文情報には、プリント枚数、プリントサイズが含まれるが、これらは初期値として、プリント枚数１枚、サイズＬ判が設定され、入力部１６のボタン操作で適宜設定を変更できる。
【００７４】
（ステップＳ３４）送信後、送信された画像データ及びその識別情報が、注文済みとしての表示に切り換わる。
【００７５】
（ステップＳ３５）送信された画像データは、注文済み画像データとして、その他の画像データを識別されて本体格納部１２に格納される。
【００７６】
（ステップＳ３６）注文を継続する場合、ステップＳ３１に戻り、そうでない場合、注文処理を終了する。
【００７７】
次に、図７を用いて、未注文の画像データを注文する処理動作について説明する。
【００７８】
（ステップＳ４０）モード選択画面上で、「注文」を選択する。
【００７９】
（ステップＳ４１）プリント注文設定画面に切り換わる。画面上で、未注文の画像データ及び／またはその識別情報は、そうでない画像データ及び／またはその識別情報と識別可能に表示される。
【００８０】
（ステップＳ４２）未注文の画像データを一括して注文する場合、「一括注文」を選択する。
【００８１】
（ステップＳ４３）ステップＳ４２で選択された未注文の画像データを含む注文情報が構成され、この注文情報がサーバ２０に送信される。送信完了するとサーバ２０から受付信号を受信する。
【００８２】
（ステップＳ４４）送信後、送信された画像データ及びその識別情報が、注文済みとしての表示に切り換わる。
【００８３】
（ステップＳ４５）送信された画像データは、注文済み画像データとして、その他の画像データと識別されて本体格納部１２に格納される。
【００８４】
（ステップＳ４６）注文を継続する場合、ステップＳ４１に戻り、そうでない場合、処理を終了する。
【００８５】
＜サーバの動作＞
次に、サーバ２０の動作について簡単に説明する。サーバ２０上でサーバアプリケーション２２が既に起動している。
【００８６】
第２の通信手段２３は、携帯端末１０から注文情報を受信した場合に、注文受付制御部２２ａは、受付信号を携帯端末１０に送信する。次に、注文受付制御部２２ａは、注文情報を顧客情報及び店舗情報と対応づけてＤＢ２１に格納する。そして、注文受付制御部２２aは、注文情報を写真処理装置３１に送信する。
【００８７】
＜写真処理装置の動作＞
写真処理装置３１の動作を簡単に説明する。
【００８８】
写真処理装置３１は、サーバ２０から注文情報を受信し、その注文情報に含まれる画像データの写真プリントを作成する。また、写真処理装置３１は、インデックスプリントも同時に作成することができる。
【００８９】
上記の写真プリント注文システムにおいて、携帯端末１０から写真プリントの注文をする場合に、サーバ２０から直接に、写真処理装置３１に注文情報が送信されるものだったが、これに限定されず、例えば、サーバ２０から情報処理装置３２または外部端末３３、３４を介して写真処置装置３１に注文情報を送信するように構成できる。
【００９０】
また、上記の写真プリント注文システムにおいて、携帯端末１０から写真プリントの注文する場合に、サーバ２０を介して写真処理装置３１に注文情報が送信されるものだったが、これに限定されず、例えば、サーバ２０を介さず、携帯端末１０から直接、写真処理装置３１に送信することも可能であり、かかる場合に、写真処理装置３１は、サーバ２０の構成要素を有するように構成される。
【００９１】
＜具体的動作＞
以下に、図８から図１５を用いて写真プリント注文システムにおける携帯端末１０の具体的動作について説明する。ここで、携帯端末１０は、カメラ付携帯電話として説明する。
【００９２】
＜画像データの撮影処理及びプリント注文設定処理＞
図８は、撮影処理及びプリント注文設定処理の一例を示す図である。注文アプリケーションの「プリント注文」を選択すると、注文アプリケーションが起動し、モード選択画面が表示される（図８（ａ））。表示されたモード選択画面で、「撮影」を選択する（図８（ｂ））。カメラを被写体に向けて、撮影キー８１を選択すると撮影された画像データ及びそのファイル名が表示される（図８（ｃ））。ここで、ファイル名は、画像データが撮影された年月日時刻から構成されている。
【００９３】
撮影された画面上の画像データをプリント注文したい場合、注文キー８２を選択する。この選択により、プリント注文する画像データとして本体格納部１２に格納される。画像データが格納されると、次の撮影が可能になる。なお、保存キーの選択で画像データは、プリント注文しないものとして本体格納部１２に格納される。また、削除キーの選択で格納されずメモリから削除される。いずれのキーの選択によっても、次の撮影が可能になる。
【００９４】
図９は本体格納部１２に格納された画像データに関する情報の一例を示す図である。図９に示すように、ファイル名、画像データ、画像サイズ、画質、プリント注文設定フラグ、注文済フラグ、未注文フラグ等が対応づけられて格納されている。なお、このデータ構造は、特に限定されていない。画像データのファイル形式はＪＰＥＧであるが、その他の形式の例えば、ＧＩＦ、ＰＮＧでもよい。画像サイズは、撮影時に適宜設定可能であり、例えば、ＶＧＡ（６４０×４８０）、ＳＸＧＡ（１２８０×９６０）、ＣＩＦ（３５２×２８８）、ＱＣＩＦ（１７６×１４４）等を選択できる。また、画質は、撮影時に適宜設定可能であり、例えば、ノーマル（標準画質）、ファイン（高画質）、スーパーファイン（最高画質）の３段階の画質モードがある。なお、ファイル名は、自動的に年月日時刻から設定されたが、適宜変更できる。
【００９５】
プリント注文設定フラグが「１」であれば、プリント注文有りに設定されていることを示し、「ＮＵＬＬ」であれば、プリント注文有りに設定されていないことを示す。また、注文済フラグが「１」であれば、注文済みの画像データであることを示し、「ＮＵＬＬ」であれば、注文済みでない画像データであることを示す。また、未注文フラグが「１」であれば、未注文の画像データであることを示し、「ＮＵＬＬ」であれば、未注文の画像データでないことを示す。
【００９６】
図９において、ファイル名「200505041205」及び「200505081401」の画像データがプリント注文するように設定されているのでプリント注文設定フラグが「１」に設定される。一方、ファイル名「200505041213」及び「200505101523」の画像データはプリント注文するように設定されていないので、未注文フラグが「1」に設定される。
【００９７】
＜注文処理＞
図１０は、注文処理操作の一例を示す図である。モード選択画面で「注文」を選択する（図１０（ａ））。この選択により、プリント注文設定画面に切り換わる。この画面上には、撮影モードで撮影され、本体格納部１２に格納されたファイル名の一覧及び反転表示されたファイル名の画像データが、プリント注文するように設定されたか否かを示す注文ボックス１０１及び注文済みであるか否かを示す注文済ボックス１０２と共に表示される。ファイル名「200505041205」及び「20050581401」は、注文設定されているので注文ボックス１０１が黒く塗られている。一方、ファイル名「200505041213」及び「200505101523」は注文設定されていないので注文ボックス１０１が白抜きである。また、いずれのファイル名の画像データも未注文であるので注文済ボックス１０２は白抜きである（図１０（ｂ））。
【００９８】
矢印キー１０３でファイル名を指定し、指定されたファイル名が反転表示されている場合に、選択キー１０４を選択すると、プリント注文の設定が可能になる。例えば、ファイル名「200505041205」が反転表示されている場合に、選択キー１０４を選ぶと、プリント注文設定が解除され注文ボックス１０１が白抜きに変わる。一方、ファイル名「200505041213」が反転表示されている場合に、選択キー１０４を選ぶと、プリント注文の設定がされ、注文ボックス１０１が黒塗りになる。すなわち、この画面上において、撮影モードでプリント注文設定された内容を変更することが可能である。
【００９９】
一括注文キー１０５を選択すると、注文ボックスが黒塗りのファイル名の画像データのすべてが注文情報に含まれる。即ち、プリント注文設定されたすべての画像データが一括で注文可能になる。
【０１００】
一括注文キー１０５の選択により、注文情報入力画面に切り換わり、氏名、店舗指定、サイズ、枚数等を適宜入力できる。なお、サイズや枚数は、初期値として、L判サイズ、１枚が予め設定され、ファイル名を選択して、適宜、サイズまたは枚数を変更できる（図１０（ｃ））。注文情報を入力後、「確認」を選択し、確認画面に切り換わる（図１０（ｄ））。確認画面で「送信」を選択すると、注文情報がサーバ２０に送信される。注文情報は、ファイル名、画像データ、入力された内容、携帯電話の電話番号、メールアドレス等で構成される。図１０（ｅ）に示すように、注文情報が送信中であることを示す「通信中」が画面上部に表示される。そして、注文情報を送信完了し、サーバ２０から受信信号を受信したら、画面上部に「注文完了」が表示される。さらに、画面上には、注文されたファイル名の注文済ボックス１０２が黒く塗られ、注文ボックス１０１は白抜きになる。また、反転表示された注文済みのファイル名の画像データは２重線枠の強調表示が施され、その他の画像データと簡単に識別可能となる。
【０１０１】
図１１は、注文処理操作の別例を示す図である。プリント注文設定画面には、画像データ及びそのファイル名が画像データの下部に表示される。プリント設定された画像データの場合、外枠が太枠で表示され、ファイル名が反転表示される（図１１（ａ））。上述したのと同様に、矢印キー１０３で画像データを選択し、選択キー１０４でプリント注文設定を変更することができる。
【０１０２】
一括注文キー１０５を選択すると、上述したのと同様に、注文情報入力画面に切り換わり、注文情報を、適宜入力して、注文情報をサーバ２０に送信する。送信後、サーバ２０から受信信号を受信すると、「注文完了」が表示され、そして、送信された画像データの外枠が３重線で強調表示され、ファイル名は２重線の枠で強調表示される（図１１（ｂ））。
【０１０３】
なお、送信後、送信された画像データとそのファイル名は表示されず、注文済フォルダ１１１を表示することもできる（図１１（ｃ））。表示１１２を選択すると注文済フォルダ１１１の内容が表示され、注文済みの画像データ及びそのファイル名が表示される（図１１（ｄ））。
【０１０４】
図１２は、注文処理操作の別例を示す図である。プリント注文設定画面には、プリント注文設定された画像データを有する設定フォルダ１２１、未注文の画像データを有する未注文フォルダ１２２、注文済みの画像データを有する注文済フォルダ１２３が表示されている。設定フォルダ１２１と未注文フォルダ１２２は、実線表示され、これは、フォルダ内に画像データが含まれていることを意味する。一方、注文済フォルダ１２３は、破線で表示され、これは、フォルダ内に画像データが含まれていないことを意味する。
【０１０５】
矢印キー１０３で、フォルダを指定し（反転表示させて）、表示キー１０６を選択すると、選択されたフォルダ内の画像データ及びそのファイル名が表示でき、内容を確認できる。例えば、設定フォルダ１２１を選択した場合、ファイル名と、反転されたファイル名の画像データが画面下部に表示される。さらに、プリント注文の設定を解除可能に構成され、矢印キー１０３でファイル名を指定し反転表示させて、解除キー１０８を選択すると、選択されたファイル名の画像データは、プリント注文の設定が解除される。また、一括注文キー１０５を選択すると、注文情報の入力画面に移行でき、この画面からも一括注文が可能となる（図１２（ｂ））。一方、未注文フォルダ１２２を選択した場合、ファイル名と、反転されたファイル名の画像データが画面下部に表示される。さらに、プリント注文の設定が可能に構成され、矢印キー１０３でファイル名を指定し、反転表示させて、設定キー１０９を選択すると、選択されたファイル名の画像データはプリント注文の設定がされる。また、一括注文キー１０５を選択すると、注文情報の入力画面に移行でき、この画面からも一括注文が可能となる（図１２（ｃ））。
【０１０６】
図１２（ａ）に示すように、矢印キー１０３で、設定ファルダ１２１を指定し、反転表示させ、一括注文キー１０５を選択すると、注文情報入力画面に切り換わり、注文情報を、適宜入力して、設定ファルダ１２１内の画像データを含む注文情報をサーバ２０に送信する。送信後、サーバ２０から受信信号を受信すると、「注文完了」が表示される（図１２（ｄ））。そして、設定フォルダ１２１は、破線表示に切り換わる。これはフォルダ内に画像データが含まれていないことを示す。また、注文済フォルダ１２３が、破線表示から実線表示に切り換わる。これは、フォルダ内に画像データが含まれたことを意味する。
【０１０７】
図１３は、本体格納部１２に格納された画像データに関する情報の一例である。プリント注文された画像データをサーバ２０に送信してプリント注文の処理を行った場合、設定図１３に示すように、ファイル名「200505041205」及び「200505081401」のプリント注文設定フラグは、「１」から「ＮＵＬＬ」になり、注文済フラグは「ＮＵＬＬ」から「１」になる。
【０１０８】
＜未注文画像データの注文処理＞
設定フォルダ１２１の画像データを一括で注文する場合に限らず、未注文フォルダ1２２内の画像データを一括で注文することも可能である（図１４（ａ））。矢印キー１０３で、未注文ファルダ１２２を指定し、反転表示させ、一括注文キー１０５を選択し、適宜入力情報を入力し、サーバ２０に送信できる。送信後、未注文フォルダ１２２は、破線表示に切り換わり、注文済フォルダ１２３は、２重線の強調表示に切り換わる（図１４（ｂ））。これは、本体格納部１２に格納されているすべての画像データが注文されたことを意味する。未注文の画像データをサーバ２０に送信してプリント注文の処理を行った場合、図１５に示すように、ファイル名「200505041213」及び「200505101523」の未注文フラグは、「１」から「ＮＵＬＬ」になり、注文済フラグは「ＮＵＬＬ」から「１」になる。
【０１０９】
以上、本実施の形態によれば、撮影処理中に、プリント注文する画像データを設定し、その後の注文処理において、かかる設定された画像データを一括に注文できるので、注文処理中に画像データを選択する操作を省略でき、簡単に注文処理できる。
【０１１０】
なお、本実施の形態において説明した、撮影処理及び注文処理の操作画面や操作方法は、上記で説明したものに限定されず、本発明の目的効果を奏するように適宜変更できる。
【０１１１】
また、本実施の形態において、プリント注文済みの画像データと、その他の画像データ及びその識別情報とは、２重または３重の外枠や、フォルダ表示、破線や実線の区別等で識別可能に表示されるものだったが、特にこれらの識別表示に限定されず、本発明の目的効果を奏するように適宜、その他の識別表示を用いて識別可能に表示されうる。
【０１１２】
さらに、本実施の形態において説明したカメラ付携帯電話の動作について、ソフトウェアで実現し、当該ソフトウェアを、例えば、サーバ２０上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態におけるカメラ付携帯電話の動作をソフトウェアで実現した場合のプログラムは、以下のようになる。
【０１１３】
コンピュータに、画像データを取得し、取得した画像データの写真プリントを作成するか否かを設定した後に、次の画像データを取得可能に制御する制御ステップと、写真プリントを注文する場合に、制御ステップで設定された写真プリントを作成する画像データ及び／または当該画像データを識別する識別情報を識別可能に表示するステップと、識別可能に表示された画像データを含む注文情報を送信した後に、当該送信した画像データ及び／または当該画像データを識別する識別情報を注文済みの表示に切り替えるステップと、注文済みの画像データと未注文の画像データを識別可能に記録媒体に格納するステップを実行させるためのプログラムである。
【０１１４】
また、コンピュータに、未注文の写真プリントを注文する場合に、未注文の画像データ及び／または当該画像データを識別する識別情報を、注文済みの画像データ及び／または当該画像データを識別する識別情報と識別可能に表示するステップと、未注文の画像データを含む注文情報を前記通信手段で送信した後、当該送信した画像データを注文済みの表示に切り替えるステップと、送信した画像データを注文済みの画像データとして記録媒体に格納するステップを実行させるためのプログラムである。
【図面の簡単な説明】
【０１１５】
【図１】実施の形態における写真プリント注文システムの概念を示す図
【図２】実施の形態における携帯端末１０の構成を示すブロック図
【図３】実施の形態におけるサーバ２０の構成を示すブロック図
【図４】実施の形態における注文処理の全体フローについて説明する図
【図５】実施の形態１における携帯端末１０の動作を説明するフローチャート
【図６】実施の形態１における携帯端末１０の動作を説明するフローチャート
【図７】実施の形態１における携帯端末１０の動作を説明するフローチャート
【図８】実施の形態１におけるプリント注文設定の例を示す図
【図９】実施の形態１における画像データに関する情報の例を示す図
【図１０】実施の形態１におけるプリント注文の例を示す図
【図１１】実施の形態１におけるプリント注文の例を示す図
【図１２】実施の形態１におけるプリント注文の例を示す図
【図１３】実施の形態１における画像データに関する情報の例を示す図
【図１４】実施の形態１におけるプリント注文の例を示す図
【図１５】実施の形態１における画像データに関する情報の例を示す図
【符号の説明】
【０１１６】
１０        携帯端末
１１        画像取得手段
１２        本体格納部
１３        注文アプリケーション
１３ａ      設定部
１３ｂ      制御部
１３ｃ      アプリケーション制御部
１４        第１の通信手段
１５        表示部
１６        入力部
１７        メディア
１８        ＣＰＵ
１９        メモリ
２０        サーバ
２１        ＤＢ
２２        サーバアプリケーション
２２ａ      注文受付制御部
２２ｂ      注文管理部
２３        第２の通信手段
２４        ＣＰＵ
２５        メモリ
【図１】
2006332876.tif 000003
【図２】
2006332876.tif 000004
【図３】
2006332876.tif 000005
【図４】
2006332876.tif 000006
【図５】
2006332876.tif 000007
【図６】
2006332876.tif 000008
【図７】
2006332876.tif 000009
【図８】
2006332876.tif 000010
【図９】
2006332876.tif 000011
【図１０】
2006332876.tif 000012
【図１１】
2006332876.tif 000013
【図１２】
2006332876.tif 000014
【図１３】
2006332876.tif 000015
【図１４】
2006332876.tif 000016
【図１５】
2006332876.tif 000017